(57)【要約】      （修正有）【課題】医療機能と健康ロハス住宅機能を結合すると共に、ユニット式医療背壁を配置し、各住居ユニットの居住者に、一般の生活機能を提供すると共に、充分即時の医療サービスとサポートを提供することが可能な建築物を提供する。【解決手段】建築物の適当階層に位置し、医療サービスを提供するための医療施設を具備する少なくとも１つの医療施設層２０と、医療施設層外の空間中にそれぞれ設置される複数個の独立した住居ユニット３０と、ユニット式医療背壁３１とを備え、各住居ユニットは、一般の独立住宅機能の間取りと施設を具備し、医療施設は、東洋と西洋医学診療所を含み、かつユニット式医療背壁は、少なくとも１つの医療用管路または点滴施設、及び各医療用管路に対応する操縦部材または点滴施設の操縦部材を収容する。【選択図】図１
0003227389.tif 000002
【実用新案登録請求の範囲】
【請求項１】
医療機能と健康ロハス住宅機能を結合すると共に、ユニット式医療背壁を配置する建築物であって、
前記建築物の適当階層に位置し、医療サービスを提供するための医療施設を具備する少なくとも１つの医療施設層と、
前記少なくとも１つの医療施設層外の空間中にそれぞれ設置される複数個の独立した住居ユニットと、
各当該住居ユニット内に設置され、配管シャフトを有するユニット式医療背壁とを備え、
各当該住居ユニットは、一般の独立住宅機能の間取りと施設を具備し、
前記医療施設は、東洋と西洋医学診療所の設置、及び医者が検診及び医療を行うための設備を含み、
前記ユニット式医療背壁の配管シャフトは、少なくとも１つの医療用管路または点滴施設、及び各前記少なくとも１つの医療用管路に対応する操縦部材を収容するために用いられ、これにより各当該住居ユニットの居住者が前記建築物から足を踏み出さない状況下、一般の生活機能を提供すると共に、充分即時の医療サービスとサポートを提供することが可能であることを特徴とする、医療機能と健康ロハス住宅機能を結合すると共に、ユニット式医療背壁を配置する建築物。
【請求項２】
前記少なくとも１つの医療用管路は、痰吸引管路、酸素流量管または陰圧配管であり、それらがそれぞれ痰吸引器、酸素発生器または陰圧施設に連結されることを特徴とする、請求項１に記載の医療機能と健康ロハス住宅機能を結合すると共に、ユニット式医療背壁を配置する建築物。
【請求項３】
前記東洋と西洋医学診療所は、家庭医学科、内分泌科、消化器科、呼吸器内科、循環器科、耳鼻咽喉科、眼科、歯科、泌尿器科、精神科、婦人科、皮膚科（美容医学センターを含む）、整形外科、リハビリテーション科及び和漢診療科のいずれか１つまたは２つ以上の診療科目を含むことを特徴とする、請求項１に記載の医療機能と健康ロハス住宅機能を結合すると共に、ユニット式医療背壁を配置する建築物。
【請求項４】
医療健康遊歩道、リラクゼーションエリア、身心霊講座コースエリア、養生温泉、水治療プール、美顔美髪美爪サロン、運動フィットネスエリア、または鍼施術及び整体マッサージエリアであるロハス施設をさらに設置することを特徴とする、請求項１に記載の医療機能と健康ロハス住宅機能を結合すると共に、ユニット式医療背壁を配置する建築物。
【請求項５】
前記少なくとも１つの医療施設層は、採血室及びＸ線撮影室をさらに備えることを特徴とする、請求項１に記載の医療機能と健康ロハス住宅機能を結合すると共に、ユニット式医療背壁を配置する建築物。
【請求項６】
当該居住者の医療データを探知測定、統合及び分析するために提供されると共に、疾病を実時間監視及び予防するために提供される医療クラウドとさらにネットワークを介して接続されることを特徴とする、請求項１に記載の医療機能と健康ロハス住宅機能を結合すると共に、ユニット式医療背壁を配置する建築物。
【請求項７】
前記医療クラウドは、必要時にそれぞれ各当該居住者及び医療看護スタッフに通知する警報表示機能をさらに提供することを特徴とする、請求項６に記載の医療機能と健康ロハス住宅機能を結合すると共に、ユニット式医療背壁を配置する建築物。
【請求項８】
前記点滴施設は、点滴用品を載置及び調節制御するための点滴スタンドであることを特徴とする、請求項１に記載の医療機能と健康ロハス住宅機能を結合すると共に、ユニット式医療背壁を配置する建築物。
【請求項９】
前記ユニット式医療背壁の外表面に設置され、室内装飾を美化するための開閉可能な隠し扉をさらに備えることを特徴とする、請求項１に記載の医療機能と健康ロハス住宅機能を結合すると共に、ユニット式医療背壁を配置する建築物。
【請求項１０】
前記酸素発生器は、シングルメータ式であることを特徴とする、請求項２に記載の医療機能と健康ロハス住宅機能を結合すると共に、ユニット式医療背壁を配置する建築物。
【請求項１１】
前記陰圧施設は、二段階式指針型陰圧メータであることを特徴とする、請求項２に記載の医療機能と健康ロハス住宅機能を結合すると共に、ユニット式医療背壁を配置する建築物。
【請求項１２】
前記二段階式指針型陰圧メータは、さらに前記痰吸引器に連結されることを特徴とする、請求項１１に記載の医療機能と健康ロハス住宅機能を結合すると共に、ユニット式医療背壁を配置する建築物。
【請求項１３】
前記ユニット式医療背壁は、移動可能なユニット式医療背壁であることを特徴とする、請求項１に記載の医療機能と健康ロハス住宅機能を結合すると共に、ユニット式医療背壁を配置する建築物。
【考案の詳細な説明】
【技術分野】
【０００１】
本考案は、医療機能と健康ロハス住宅機能を結合すると共に、ユニット式医療背壁を有する建築物に関するものである。
【背景技術】
【０００２】
民衆が時々各地にビジネス旅行や観光旅行を行い、一旦旅行先に出向いた後、自身の病状情報が前記旅行先と連結しておらず、前記民衆に一時的に医療状況が現出され、必然的に非常に大きな受診トラブルが発生するおそれがある。このような１棟の複合住宅のコンセプト、即ち、医療住宅のコンセプトを世界各地に複製する機会があれば、将来、複合住宅に居住した民衆が別棟の類似した複合住宅にいる場合、前記民衆自身の病状情報を前記旅行先の複合住宅に転送することができ、それはクラウドのリンク接続を経由して前記民衆自身の病状情報の伝達が行われることにより、民衆が各地にビジネス旅行や観光旅行を行うときの受診トラブルを解消することができる。従って、社会では、健康ロハス住宅機能及び医療機能を結合する１棟の複合医療建築物が要望されている。
【０００３】
なお、一般の病室内に設置された様々なタイプの医療用気体は、通常、病室ベッドの後方の壁面上に配設され、看護スタッフが患者を救助するときに陰圧を提供するために用いられ、速やかに使用可能な便利性が得られる。但し、在宅中に緊急事態が発生して痰吸引などのために気体の供給が必要なときには、患者の生命の安全を確保するように、現今の患者を依然として病室に入室させる必要がある。また、病院では、薬剤耐性菌による感染がよく見受けられ、免疫力が弱い患者は、前記薬剤耐性菌に感染する可能性があり、かえって危篤状態に陥る場合や死亡に至る場合があるが、
患者の在宅中には、医療用気体または陰圧を取り扱う施設がないと、病院への入院を余儀なくされる。一方、病院内の医療壁面上の気体供給箇所は、中央パイプラインを経由して気体供給源に連結され、一般の住居または非病院場所には、この種の気体供給箇所を設置した壁面がない。
【考案の概要】
【考案が解決しようとする課題】
【０００４】
病室内の様々なタイプの気体供給箇所に関しては、入院時に使用の便利性を提供できるものの、しかし住居で緊急事態が発生した際、気体供給施設や痰吸引施設がないため、患者では病院での応急処置を余儀なくされ、そうでなければ、器具設備を即時に提供できないので、患者に危害を生じることにつながる。また、供給気体や陰圧に面する壁面の大部分は、実用的ではあるが美観に乏しく、療法に面する壁面に美化を施すれば、患者に対して提供される医療品質と美観を兼ね備えることができる。
【課題を解決するための手段】
【０００５】
本考案にかかる医療機能と健康ロハス住宅機能を結合すると共に、ユニット式医療背壁を配置する建築物は、前記建築物の適当階層に位置し、医療サービスを提供するための医療施設を具備する少なくとも１つの医療施設層と、前記少なくとも１つの医療施設層外の空間中にそれぞれ設置される複数個の独立した住居ユニットと、当該住居ユニット内に設置されるユニット式医療背壁とを備え、各住居ユニットは、一般の独立住宅機能の間取りと施設を具備し、その内、前記医療施設は、医者が治療を行うための設備を含み、前記ユニット式医療背壁は、少なくとも１つの医療用管路または点滴施設、及び各前記少なくとも１つの医療用管路に対応する操縦部材または前記点滴施設の操縦部材を収容するために用いられ、これにより各当該住居ユニットの居住者が一歩も外に出ない（建築物から足を踏み出さない）状況下、一般の生活機能を提供すると共に、充分即時の医療サービスとサポートを提供することが可能である。
【０００６】
本考案の複合建築物において、各当該住居ユニットは、さらに住居探知測定設備をさらに具備し、住居探知測定設備の例としては、耳式体温計、血圧計、血糖計、血中酸素濃度測定器、体重計またはその他の簡易型の探知測定設備が挙げられる。ブルートゥース（登録商標）内蔵の各種の探知測定設備を使用して、体温、心拍数、血圧、血糖値、血中酸素濃度、体重、ＢＭＩを毎日計測すると共に、それらを医療クラウドにアップロードする。
【０００７】
本考案の複合建築物は、会員（各居住者）のデータを探知測定、統合と分析するために提供されると共に、疾病を実時間監視及び予防するために提供される医療クラウドとさらにネットワークを介して接続される。医療クラウドは、データを自動的に探知測定すると共に、探知測定したデータをクラウドデータベースにアップロードし、気遣いができる生活美学アドバイザーと専門的医師は、同時にデータを定期的にレビューして、あなたの健康を心がけ、あなたに疑いのある疾病を予防する補助役割を担当する。
本考案の複合建築物の医療クラウドは、会員のデータをシステムで分析することや、医師が健康診断結果報告書をレビューすることほか、その他の遠隔介護システムとの最大の差異点は、生活美学アドバイザーも定期的に自動ログインすることにある。
【０００８】
本考案の複合建築物の医療クラウドは、必要時にそれぞれ各当該会員及び医療看護スタッフに通知するように、警報表示機能を提供できる。詳しく言えば、会員の生理数値をレビューし、生活美学アドバイザーは、受信した看護情報を正確に理解するようにあなたを手助けする。システムが緊急通知を発報すると、生活美学アドバイザーは、会員に連絡してデータ入力誤りの有無を確認するか、あるいは緊急救助の必要性の有無を確認する。生活美学アドバイザーが緊急状況と確認した場合には、直ちに救急車を手配するなどの対応を実行することができる。その一方で、会員自らが体調不良と感じて緊急救助が必要なときには、生活美学アドバイザーに連絡して援助を要請していく。会員と連絡が取れない場合には、生活美学アドバイザーが緊急連絡先に通知することになる。
【０００９】
本考案の複合建築物の医療クラウドは、科学技術ビッグデータを運用する分析を行い、専門医が評価し、及び生活美学アドバイザーが気を配ったカスタマイズサービスを提供し得る一セットの遠隔介護システムであり、例え会員が在宅でも安心して老後の生活を送ることができ、その介護は一般的状況とそれほど大差がない。それと同時に、家族の生理情報を蓄積し、蓄積した情報を参考として家庭疾病を予防することができる。会員とその家人の健康状態が良好である場合には、予防性の医療追跡と情報しか必要としない。医師がオンラインで会員の健康診断結果報告書をレビューして、随時に健康を守ることができ、健康診断結果をより有意義なものとすることができ、疾病を予防する効果が奏される。
【００１０】
簡単に言えば、本考案の医療クラウドは、健康ロハス住宅ＨＬＣ（Ｈｅａｌｔｈ  Ｌｏｈａｓ  Ｃａｒｅ）の整合システム中に結合され、会員（即ち、各住居ユニットの居住者）の生理情報を毎日計測するように協力するために用いられ、及びその連携する医学センター健康診断式により検出したデータを、ブルートゥース（登録商標）で美学医療クラウドサーバへ伝達する。前記整合システムに基づいて、美学講座の医師より個人の身心霊の健康ケアについて、衣、食、住、行、育、樂に対して推奨される医学的なアドバイスを付与する。かつ、前述した医師の個人についての推奨に従って、美学ブロックのモノのインターネットを用いて、衣、食、住、行、育、樂を総合的に考えた上、会員の健康に適した商品を厳選し、健康ロハス住宅ＨＬＣの高級品の自動化小型倉庫システムに集中的に受領した後、ブロックのモノのインターネットの自動任意ボックスを用いて、会員各位の居住地まで送り届けると共に、気遣いができる生活美学アドバイザーが確認を行う。これにより、前記整合システムにおいて、医療健康ロハス、積極的予防型の科学技術と人心を快適に保つサービスを、クラウドを通じて整合してもよい。
【考案の効果】
【００１１】
本考案の建築物は、住居ユニット式のユニット式医療背壁をさらに提供し、その内部に医療用気体管路、陰圧施設または点滴施設が設置されることで、簡捷適確な医療ケアを提供することが可能となる。本考案は、住家または非病院場所について施された整合設備の設計であり、高品質な医療水準を目的として奏する。一方では、住居生活美学を提供して、医療生活美学の目的を達成する。
【００１２】
本考案は、開閉可能な隠し扉を有するユニット式医療背壁を提供でき、室内装飾を美化するように兼ね備えている。
【００１３】
上記目的を達成するために、本考案は、前記ユニット式医療背壁内に備置され、少なくとも１つの医療用管路または点滴施設、及び各前記少なくとも１つの医療用管路に対応する操縦部材を収容するために用いられ、これにより住居空間を占有せずにユニット式の空間内に適確で便利な医療ケアを提供することが可能である配管シャフトを有するユニット式医療背壁を提供する。なお、ユニット式施設なので、集団汚染を受けずに操作が提供され、及び医療サービスの迅速簡捷性が供給される。また、開閉可能な隠し扉をさらに備えてもよく、前記背壁の外表面に設置され、実内装飾を美化するために用いられる。
【図面の簡単な説明】
【００１４】
【図１】本考案の医療機能と健康ロハス住宅機能を結合すると共に、ユニット式医療背壁を配置する建築物の模式図である。
【図２】本考案の住居ユニットのユニット式医療背壁の構造図である。
【考案を実施するための形態】
【００１５】
図１及び図２に示すように、かかる医療機能と健康ロハス住宅機能を結合すると共に、ユニット式医療背壁を配置する建築物１０は、前記建築物の適当階層に位置し、医療サービスを提供するための医療施設を具備する少なくとも１つの医療施設層２０と、前記少なくとも１つの医療施設層２０外の空間中にそれぞれ設置される複数個の独立した住居ユニット３０と、当該住居ユニット３０内に設置され、配管シャフト１１（その構造について図２を参照して詳述する）を有するユニット式医療背壁３１とを備え、各当該住居ユニット３０は、一般の独立住宅機能の間取りと施設を具備する。その内、前記医療施設は、東洋と西洋医学診療所の設置、及び医者が検診及び医療を行うための設備を含み、前記ユニット式医療背壁３１は、少なくとも１つの医療用管路１１１または点滴施設１１２、及び各前記少なくとも１つの医療用管路１１１に対応する操縦部材１２１を収容するために用いられ、これにより各住居ユニット３０の居住者が前記建築物から足を踏み出さない状況下、各当該住居ユニット３０の一般の生活機能を提供すると共に、充分即時の医療サービスとサポートを提供することが可能である。なお、本考案は、レジャー娯楽を提供する設備である生活娯楽層４０と、小型化した自動倉庫システムを設置するための地下階層５０とをさらに備えてもよい。
【００１６】
図２に示すように、前記配管シャフト１１は、前記ユニット式医療背壁３１内に備置され、少なくとも１つの医療用管路１１１または点滴施設１１２、及び各前記少なくとも１つの医療用管路１１１に対応する操縦部材１２１を収容するために用いられ、これによりユニット式の空間内に適確便利な医療ケアを提供することが可能である。
【００１７】
前記ユニット式医療背壁３１中には、各前記少なくとも１つの医療用管路１１１及びそれに対応する操縦部材１２１は、それぞれ酸素流量管及びその操縦部材、陰圧管路及びその操縦陰圧部材、または痰吸引管路及びその操縦部材である。また、前記点滴施設１１２は、点滴スタンドであり、点滴用品を載置及び調節制御するために用いられる。
【００１８】
前記ユニット式医療背壁３１には、開閉可能な隠し扉１３をさらに備えてもよく、前記ユニット式医療背壁３１の外表面に設置され、室内装飾を美化するために用いられる。また、本考案において、前記酸素流量管がさらに許可の酸素発生器に連結され、その酸素発生器は、シングルメータ式である。前記痰吸引管路がさらに痰吸引器に連結される。前記陰圧管路が陰圧施設に連結され、前記陰圧施設は、二段階式指針型陰圧メータであり、その内、前記二段階式指針型陰圧メータは、さらに許可の痰吸引器に連結される。
【００１９】
その内、前記東洋と西洋医学診療所は、家庭医学科、内分泌科、消化器科、呼吸器内科、循環器科、耳鼻咽喉科、眼科、歯科、泌尿器科、精神科、婦人科、皮膚科（美容医学センターを含む）、整形外科、リハビリテーション科及び和漢診療科のいずれか１つまたは２つ以上の診療科目を含む。
【００２０】
また、本考案において、ロハス施設をさらに設置し、それは医療健康遊歩道、リラクゼーションエリア、身心霊講座コースエリア、養生温泉、水治療プール、美顔美髪美爪サロン、運動フィットネスエリア、または鍼施術及び整体マッサージエリアである。
【００２１】
本考案において、前記少なくとも１つの医療施設層２０は、採血室及びＸ線撮影室をさらに備える。
【００２２】
また、本考案において、開閉可能な隠し扉１３をさらに備えてもよく、前記ユニット式医療背壁３１の外表面に設置され、室内装飾を美化するために用いられる。
【００２３】
また、前記ユニット式医療背壁３１には、移動部材（図中未表示）をさらに含んでもよく、前記ユニット式医療背壁３１を移動するために用いられる。
【００２４】
また、図１に示すように、本考案において、各居住者のデータを探知測定、統合及び分析するために提供されると共に、疾病を実時間監視及び予防するために提供される医療クラウド６０とさらにネットワークを介して接続されてもよく、かつ前記医療クラウド６０は、必要時にそれぞれ各当該居住者及び医療看護スタッフに通知するように、警報表示機能をさらに提供する。
【符号の説明】
【００２５】
１０  医療機能と健康ロハス住宅機能を結合すると共に、ユニット式医療背壁を配置する建築物
１１  配管シャフト
１１１  医療用管路
１１２  点滴施設
１２１  操縦部材
１３  隠し扉
２０  医療施設層
３０  住居ユニット
３１  ユニット式医療背壁
４０  生活娯楽層
５０  地下階層
６０  医療クラウド
【図１】
0003227389.tif 000003
【図２】
0003227389.tif 000004